(57)【特許請求の範囲】
【請求項１】
発呼端末をＩＰ網に接続する接続装置と、前記ＩＰ網に接続されるＩＰ交換機と、前記ＩＰ交換機に接続される無線基地局装置と、前記ＩＰ網に収容される端末の位置登録を行う位置登録装置と、前記ＩＰ網に接続され、ＰＩＡＦＳプロトコルを終端する終端装置とを具備する通信システムであって、
前記接続装置は、
前記無線基地局装置との間でＰＩＡＦＳプロトコルにより無線通信を行う無線モジュールと、
前記ＩＰ網への接続回線の障害を検出する検出手段と、
前記回線に障害が検出された場合に前記発呼端末から着信端末へのデータを前記無線モジュールに分配する分配手段と、
前記終端装置をダミー着信先として前記無線基地局装置に通知する通知手段とを備え、
前記無線基地局装置は、
前記位置登録装置に対し前記ダミー着信先に基づいて前記終端装置の位置情報を取得する要求を送信する要求手段を備え、
前記ＩＰ交換機は、
前記ＰＩＡＦＳプロトコルのデータを前記終端装置の位置情報に基づいて前記ＩＰ網を介して前記終端装置へ転送する転送手段を備え、
前記終端装置は、
前記ＰＩＡＦＳプロトコルを終端する終端手段と、
前記位置登録装置に対し前記着信端末に関する位置情報を取得する要求を送信する要求手段と、
前記終端手段により得られたデータを前記着信端末に関する位置情報に基づいて前記ＩＰ網を介して着信側のＩＰ交換機へ転送する転送手段と
を備えることを特徴とする通信システム。
【請求項２】
発呼端末をＩＰ網に接続する接続装置と、前記ＩＰ網に接続されるＩＰ交換機と、前記ＩＰ交換機に接続される無線基地局装置と、前記ＩＰ網に収容される端末の位置登録を行う位置登録装置とを具備する通信システムであって、
前記接続装置は、
前記無線基地局装置との間でＰＩＡＦＳプロトコルにより無線通信を行う無線モジュールと、
前記ＩＰ網への接続回線の障害を検出する検出手段と、
前記回線に障害が検出された場合に前記発呼端末から着信端末へのデータを前記無線モジュールに分配する分配手段とを備え、
前記無線基地局装置は、
前記位置登録装置に対し前記着信端末に関する位置情報を取得する要求を送信する要求手段を備え、
前記ＩＰ交換機は、
前記無線基地局装置を介して受信されたＰＩＡＦＳプロトコルを終端する終端手段と、
前記終端手段により得られたデータを前記位置情報に基づいて前記ＩＰ網を介して着信側のＩＰ交換機へ転送する転送手段と
を備えることを特徴とする通信システム。
【請求項３】
発呼端末をＩＰ網に接続する接続装置と、前記ＩＰ網に接続されるＩＰ交換機と、前記ＩＰ交換機に接続される無線基地局装置と、前記ＩＰ網に収容される端末の位置登録を行う位置登録装置と、前記ＩＰ網に接続され、ＰＩＡＦＳプロトコルを終端する終端装置とを具備する通信システムに用いられる通信方法であって、
前記接続装置において、
前記無線基地局装置との間でＰＩＡＦＳプロトコルにより無線通信を行うことと、
前記ＩＰ網への接続回線の障害を検出することと、
前記回線に障害が検出された場合に前記発呼端末から着信端末へのデータを前記無線モジュールに分配することと、
前記終端装置をダミー着信先として前記無線基地局装置に通知することとを有し、
前記無線基地局装置において、
前記位置登録装置に対し前記ダミー着信先に基づいて前記終端装置の位置情報を取得する要求を送信することを有し、
前記ＩＰ交換機において、
前記ＰＩＡＦＳプロトコルのデータを前記終端装置の位置情報に基づいて前記ＩＰ網を介して前記終端装置へ転送することを有し、
前記終端装置において、
前記ＰＩＡＦＳプロトコルを終端することと、
前記位置登録装置に対し前記着信端末に関する位置情報を取得する要求を送信することと、
前記終端手段により得られたデータを前記着信端末に関する位置情報に基づいて前記ＩＰ網を介して着信側のＩＰ交換機へ転送することと
を有することを特徴とする通信方法。
【請求項４】
発呼端末をＩＰ網に接続する接続装置と、前記ＩＰ網に接続されるＩＰ交換機と、前記ＩＰ交換機に接続される無線基地局装置と、前記ＩＰ網に収容される端末の位置登録を行う位置登録装置とを具備する通信システムに用いられる通信方法であって、
前記接続装置において、
前記無線基地局装置との間でＰＩＡＦＳプロトコルにより無線通信を行うことと、
前記ＩＰ網への接続回線の障害を検出することと、
前記回線に障害が検出された場合に前記発呼端末から着信端末へのデータを前記無線モジュールに分配することとを有し、
前記無線基地局装置において、
前記位置登録装置に対し前記着信端末に関する位置情報を取得する要求を送信することを有し、
前記ＩＰ交換機において、
前記無線基地局装置を介して受信されたＰＩＡＦＳプロトコルを終端することと、
前記終端手段により得られたデータを前記位置情報に基づいて前記ＩＰ網を介して着信側のＩＰ交換機へ転送することと
を有することを特徴とする通信方法。
【発明の詳細な説明】
【技術分野】
【０００１】
本発明の実施形態は、ＩＰ（Internet Protocol）網を介して端末間で通信を行う通信システム、接続装置および通信方法に関する。
【背景技術】
【０００２】
ＩＰ網で接続される構成であり、端末−端末間で通信を行っている時に、例えばＩＰ網につながるある回線で障害が発生した場合、その回線に収容されている端末との通信が出来なくなるという問題が発生する。このような問題を回避するサービスの一つとして、３Ｇ回線を利用した“Ｇｒｏｕｐ−ＶＰＮ  Ｐｌｕｓ  ワイヤレスバックアップタイプ”が提案されている。
【先行技術文献】
【特許文献】
【０００３】
【特許文献１】特開２００６−２６１９７８号公報
【発明の概要】
【発明が解決しようとする課題】
【０００４】
上述したように、ＩＰ網につながる回線で障害が発生、またはＩＰ網内のあるサブネット（ブロードキャストパケットが到達できるネットワーク空間）において障害が発生すると当該ＩＰ網を利用した通信が出来なくなるという問題がある。
【０００５】
本実施形態の目的は、ＩＰ網を介して端末間で通信を行うシステムにおいて可用性及び信頼性を高めることができる通信システム、接続装置および通信方法を提供することにある。
【課題を解決するための手段】
【０００６】
本実施形態に係る通信システムの第１の態様は、発呼端末をＩＰ網に接続する接続装置と、前記ＩＰ網に接続されるＩＰ交換機と、前記ＩＰ交換機に接続される無線基地局装置と、前記ＩＰ網に収容される端末の位置登録を行う位置登録装置と、前記ＩＰ網に接続され、ＰＩＡＦＳプロトコルを終端する終端装置とを具備する通信システムであって、前記接続装置は、前記無線基地局装置との間でＰＩＡＦＳプロトコルにより無線通信を行う無線モジュールと、前記ＩＰ網への接続回線の障害を検出する検出手段と、前記回線に障害が検出された場合に前記発呼端末から着信端末へのデータを前記無線モジュールに分配する分配手段と、前記終端装置をダミー着信先として前記無線基地局装置に通知する通知手段とを備え、前記無線基地局装置は、前記位置登録装置に対し前記ダミー着信先に基づいて前記終端装置の位置情報を取得する要求を送信する要求手段を備え、前記ＩＰ交換機は、前記ＰＩＡＦＳプロトコルのデータを前記終端装置の位置情報に基づいて前記ＩＰ網を介して前記終端装置へ転送する転送手段を備え、前記終端装置は、前記ＰＩＡＦＳプロトコルを終端する終端手段と、前記位置登録装置に対し前記着信端末に関する位置情報を取得する要求を送信する要求手段と、前記終端手段により得られたデータを前記着信端末に関する位置情報に基づいて前記ＩＰ網を介して着信側のＩＰ交換機へ転送する転送手段とを備える。
【０００７】
本実施形態に係る通信システムの第２の態様は、発呼端末をＩＰ網に接続する接続装置と、前記ＩＰ網に接続されるＩＰ交換機と、前記ＩＰ交換機に接続される無線基地局装置と、前記ＩＰ網に収容される端末の位置登録を行う位置登録装置とを具備する通信システムであって、前記接続装置は、前記無線基地局装置との間でＰＩＡＦＳプロトコルにより無線通信を行う無線モジュールと、前記ＩＰ網への接続回線の障害を検出する検出手段と、前記回線に障害が検出された場合に前記発呼端末から着信端末へのデータを前記無線モジュールに分配する分配手段とを備え、前記無線基地局装置は、前記位置登録装置に対し前記着信端末に関する位置情報を取得する要求を送信する要求手段を備え、前記ＩＰ交換機は、前記無線基地局装置を介して受信されたＰＩＡＦＳプロトコルを終端する終端手段と、前記終端手段により得られたデータを前記位置情報に基づいて前記ＩＰ網を介して着信側のＩＰ交換機へ転送する転送手段とを備える。
【０００８】
本実施形態に係る接続装置の第１の態様は、発呼端末をＩＰ網に接続する接続装置と、前記ＩＰ網に接続されるＩＰ交換機と、前記ＩＰ交換機に接続される無線基地局装置と、前記ＩＰ網に収容される端末の位置登録を行う位置登録装置と、前記ＩＰ網に接続され、ＰＩＡＦＳプロトコルを終端する終端装置とを具備し、前記無線基地局装置は、前記位置登録装置に対し前記ダミー着信先に基づいて前記終端装置の位置情報を取得する要求を送信する要求手段を備え、前記ＩＰ交換機は、前記ＰＩＡＦＳプロトコルのデータを前記終端装置の位置情報に基づいて前記ＩＰ網を介して前記終端装置へ転送する転送手段を備え、前記終端装置は、前記ＰＩＡＦＳプロトコルを終端する終端手段と、前記位置登録装置に対し前記着信端末に関する位置情報を取得する要求を送信する要求手段と、前記終端手段により得られたデータを前記着信端末に関する位置情報に基づいて前記ＩＰ網を介して着信側のＩＰ交換機へ転送する転送手段とを備える通信システムに用いられる前記接続装置であって、前記無線基地局装置との間でＰＩＡＦＳプロトコルにより無線通信を行う無線モジュールと、前記ＩＰ網への接続回線の障害を検出する検出手段と、前記回線に障害が検出された場合に前記発呼端末から着信端末へのデータを前記無線モジュールに分配する分配手段と、前記終端装置をダミー着信先として前記無線基地局装置に通知する通知手段とを備える。
【０００９】
本実施形態に係る接続装置の第２の態様は、発呼端末をＩＰ網に接続する接続装置と、前記ＩＰ網に接続されるＩＰ交換機と、前記ＩＰ交換機に接続される無線基地局装置と、前記ＩＰ網に収容される端末の位置登録を行う位置登録装置とを具備し、前記無線基地局装置は、前記位置登録装置に対し前記着信端末に関する位置情報を取得する要求を送信する要求手段を備え、前記ＩＰ交換機は、前記無線基地局装置を介して受信されたＰＩＡＦＳプロトコルを終端する終端手段と、前記終端手段により得られたデータを前記位置情報に基づいて前記ＩＰ網を介して着信側のＩＰ交換機へ転送する転送手段とを備える通信システムに用いられる前記接続装置であって、前記無線基地局装置との間でＰＩＡＦＳプロトコルにより無線通信を行う無線モジュールと、前記ＩＰ網への接続回線の障害を検出する検出手段と、前記回線に障害が検出された場合に前記発呼端末から着信端末へのデータを前記無線モジュールに分配する分配手段とを備える。
【００１０】
本実施形態に係る通信方法の第１の態様は、発呼端末をＩＰ網に接続する接続装置と、前記ＩＰ網に接続されるＩＰ交換機と、前記ＩＰ交換機に接続される無線基地局装置と、前記ＩＰ網に収容される端末の位置登録を行う位置登録装置と、前記ＩＰ網に接続され、ＰＩＡＦＳプロトコルを終端する終端装置とを具備する通信システムに用いられる通信方法であって、前記接続装置において、前記無線基地局装置との間でＰＩＡＦＳプロトコルにより無線通信を行うことと、前記ＩＰ網への接続回線の障害を検出することと、前記回線に障害が検出された場合に前記発呼端末から着信端末へのデータを前記無線モジュールに分配することと、前記終端装置をダミー着信先として前記無線基地局装置に通知することとを有し、前記無線基地局装置において、前記位置登録装置に対し前記ダミー着信先に基づいて前記終端装置の位置情報を取得する要求を送信することを有し、前記ＩＰ交換機において、前記ＰＩＡＦＳプロトコルのデータを前記終端装置の位置情報に基づいて前記ＩＰ網を介して前記終端装置へ転送することを有し、前記終端装置において、前記ＰＩＡＦＳプロトコルを終端することと、前記位置登録装置に対し前記着信端末に関する位置情報を取得する要求を送信することと、前記終端手段により得られたデータを前記着信端末に関する位置情報に基づいて前記ＩＰ網を介して着信側のＩＰ交換機へ転送することとを有するものである。
【００１１】
本実施形態に係る通信方法の第２の態様は、発呼端末をＩＰ網に接続する接続装置と、前記ＩＰ網に接続されるＩＰ交換機と、前記ＩＰ交換機に接続される無線基地局装置と、前記ＩＰ網に収容される端末の位置登録を行う位置登録装置とを具備する通信システムに用いられる通信方法であって、前記接続装置において、前記無線基地局装置との間でＰＩＡＦＳプロトコルにより無線通信を行うことと、前記ＩＰ網への接続回線の障害を検出することと、前記回線に障害が検出された場合に前記発呼端末から着信端末へのデータを前記無線モジュールに分配することとを有し、前記無線基地局装置において、前記位置登録装置に対し前記着信端末に関する位置情報を取得する要求を送信することを有し、前記ＩＰ交換機において、前記無線基地局装置を介して受信されたＰＩＡＦＳプロトコルを終端することと、前記終端手段により得られたデータを前記位置情報に基づいて前記ＩＰ網を介して着信側のＩＰ交換機へ転送することとを有するものである。
【図面の簡単な説明】
【００１２】
【図１】第１実施形態に係る通信システムを示す全体図。
【図２】図１の通信システムの構成を示す機能ブロック図。
【図３】通常時に端末間で通信を行うときのプロトコルスタックの一例を示す図。
【図４】障害発生時に端末間で通信を行うときのプロトコルスタックの一例を示す図。
【図５】呼設定手順からデータ転送手順に至る処理シーケンスを示すシーケンス図。
【図６】第２実施形態に係る通信システムの構成を示す機能ブロック図。
【図７】障害発生時に端末間で通信を行うときのプロトコルスタックの一例を示す図。
【図８】呼設定手順からデータ転送手順に至る処理シーケンスを示すシーケンス図。
【発明を実施するための形態】
【００１３】
以下、図面を参照しながら本実施形態に係る通信システム、接続装置および通信方法を説明する。
【００１４】
（第１実施形態）  
図１は、第１実施形態に係る通信システムを示す全体図である。
【００１５】
ＩＰ（Internet Protocol）網５は、ＩＰパケットを伝送するネットワーク網であり、レイヤ２であるデータリンク層、およびレイヤ１である物理層の種別は問わない。また、ＩＰ網５内のルータ（Ｌ３ＳＷ）の数は任意とする。
【００１６】
ＩＰ交換機１１、１２及び接続装置２は、ＩＳＤＮ（Integrated Services Digital Network）回線Ｌ２とＩＰ回線Ｌ１の相互接続を実現する機能を有しており、ＩＳＤＮ回線Ｌ２とＩＰ回線Ｌ１が接続される。接続装置２にはさらに無線モジュール２１が搭載され、後述するＰＨＳ（Personal Handyphone System）無線基地局装置４と無線で接続することができる。
【００１７】
ターミナルアダプタ（ＴＡ）Ｔ１，Ｔ２，Ｔ３は、ＩＳＤＮ回線Ｌ２を終端する。パケット端末３１，３２，３３は、パケット発呼、およびパケット着呼機能を有しており、相互にパケット通信が可能である。各パケット端末はＴＡと接続される。
【００１８】
位置登録装置７は、ＩＰ網５に接続され、着呼ユーザ（端末）の位置登録機能を有し、着呼ユーザが存在する位置情報（ページングエリア）の提供を行う。また、必要に応じて認証シーケンスが実行され、パケット発呼、およびパケット着呼が発生した場合に、発呼ユーザ、または着呼ユーザが正規ユーザであるかを判定する。なお、図１の例では、位置登録装置７は、ＩＰ回線Ｌ１で接続されているが、ＩＰ回線Ｌ１の代わりにＩＳＤＮ回線Ｌ２などで接続される形態も可とする。
【００１９】
ＰＩＡＦＳ終端装置６は、ＩＰ網５に接続され、ＰＩＡＦＳ（PHS Internet Access Forum Standard）を終端する機能を有する。
【００２０】
ＰＨＳ無線基地局装置４は、ＩＰ交換機１１とＩＳＤＮ回線Ｌ２で接続される。なお、図１の例では、ＩＳＤＮ回線Ｌ２で接続されているが、ＩＰ回線Ｌ１を用いて接続される形態も可とする。
【００２１】
図２は、図１の通信システムの構成を示す機能ブロック図である。ただし、ターミナルアダプタＴ１，Ｔ２，Ｔ３の機能は一般的な機能のみのため説明は省略する。なお、ここでは、パケット端末３３とパケット端末３２との間で通信を行う構成について説明する。
【００２２】
パケット端末３２，３３は、ターミナルアダプタＴ１，Ｔ２，Ｔ３と接続するためのレイヤ１終端部３０１、およびＬＡＰＤ（Link Access Procedure on the D-channel）を転送するレイヤ２終端部３０２を備える。また、パケット端末３２は、Ｘ．３１終端部３０３を備え、パケット端末３３は、Ｘ．２５終端部３０４を備える。Ｘ．２５およびＸ．３１は呼設定及びデータ転送に用いるプロトコルである。ＬＡＰＤはＩＳＤＮ回線のＤチャネル上でＸ．２５パケットおよびＸ．３１パケットを転送するために用いるプロトコルである。
【００２３】
ＩＰ交換機１１は、ターミナルアダプタＴ１およびＩＰ網５と接続するためのレイヤ１終端部１０１、ＩＳＤＮ回線Ｌ２上でＬＡＰＤを転送し、ＩＰ回線Ｌ１上でＬＡＰＢ（Link Access Procedure， Balanced）を転送するレイヤ２終端部１０２、ＩＰ網５を介して呼設定を行う呼設定部１０３、ＩＰ網５を介してデータを転送するためのメディア転送部１０４、および位置登録装置７との通信を実現するための位置登録装置接続部１０５、および位置登録装置７から送信される位置情報取得結果（着ユーザの位置情報）を読みとるための位置情報読み取り部１０６を備える。ＬＡＰＢはＩＰ網５上でＸ．２５パケットを転送するために用いるプロトコルである。
【００２４】
ＩＰ交換機１２は、ＩＰ交換機１１と同様にレイヤ１終端部１０１、レイヤ２終端部１０２、呼設定部１０３、およびメディア転送部１０４を備え、さらにＸ．２５パケットを終端するＸ．２５終端部１０７およびＸ．３１パケットを終端するＸ．３１終端部１０８を備える。
【００２５】
接続装置２は、上記ＩＰ交換機１１，１２と同様に、レイヤ１終端部２０１、レイヤ２終端部２０２および呼設定部２０３を備える。さらに、接続装置２は、ＩＰ網５への接続回線の障害を監視するＩＰ網障害監視部２０４、ＩＰ網５又は無線に対し信号を分配する信号分配部２０５、着信先の情報をＰＩＡＦＳ終端装置６に通知するための着信先通知部２０６、およびＰＩＡＦＳ終端装置６のＩＰアドレスを求めるためのダミー着番号管理部２０７を備える。
【００２６】
また、接続装置２には無線モジュール２１が搭載され、無線モジュール２１にはＰＨＳ無線基地局装置４と接続するための無線接続部２１１、およびＰＩＡＦＳを終端するＰＩＡＦＳ終端部２１２、および前記信号分配部と信号を送受信するための信号送受信部２１が備えられる。
【００２７】
ＰＩＡＦＳ終端装置６は、ＰＩＡＦＳ終端部６０１、ＩＰ網５と接続するためのレイヤ１終端部６０２、ＩＰ網５を介して呼設定を行う呼設定部６０３、ＩＰ網５を介してデータを転送するためのメディア転送部６０４、位置登録装置７との通信を実現するための位置登録装置接続部６０５、およびＩＰ交換機１２とのリンク確立が完了したことを通知するためのリンク確立通知部６０６を備える。
【００２８】
ＰＨＳ無線基地局装置４は、ＩＰ交換機１１と接続するためのレイヤ１終端部４０１、接続装置１に搭載された無線モジュール２１と無線で通信するための無線接続部４０２、および着信先の位置情報を位置登録装置７から取得するための位置情報取得部４０３を備える。
【００２９】
位置登録装置７は、ユーザが使用するパケット端末の位置情報を登録し保持するための位置登録部７０１と位置登録データベース（位置登録ＤＢ）７０２とを備える。本実施形態では、位置登録ＤＢ７０２には、位置登録情報としてパケット端末と接続できるＩＰ交換機のＩＰアドレスが保持される。また、位置登録装置７は、発呼ユーザの正当性を確認するため、ＩＰ交換機１１またはＰＩＡＦＳ終端装置６からの認証要求を受け付け、認証データベースに格納されているユーザ情報を基にユーザが正規ユーザを判定し結果を送信元に返送するための認証機能を備えることもできる。なお、認証データベースを備える場合は、後述する位置情報取得要求シーケンスは認証シーケンスと同じ手順であるため、「認証要求／認証応答」に「位置情報取得要求／位置情報取得応答」を含めるようにしてもよい。
【００３０】
図３は、ＩＰ網５を経由してパケット端末３３とパケット端末３２との間で通信を行うときのプロトコルスタックの一例を示したものである。  
図３に示す呼設定とは、Ｘ．２５プロトコルの呼設定手順を用いる時のプロトコルスタックを示している。ＩＰ網５上ではＸ．２５プロトコルをＳＩＰ（Session Initiation Protocol）に変換する。なお、この例ではＩＰ網５上の呼設定手順としてＳＩＰを利用しているが必ずしもＳＩＰを利用する必要はなく、形態に応じてＨ．３２３など別の呼設定手順を利用してもよい。また、図３に示すデータ転送とは、Ｘ．２５プロトコルのデータ転送手順を用いる時のプロトコルスタックを示している。
【００３１】
この例の場合、接続装置２がつながるＩＰ回線Ｌ１、またはサブネット内でＩＰ障害が発生するとパケット端末３２と一切通信が出来なくなる。
【００３２】
図４は、無線モジュールの無線接続部を利用してパケット端末３３とパケット端末３２との間で通信を行うときのプロトコルスタックの一例を示したものである。  
図４に示す呼設定１（接続装置２−ＰＩＡＦＳ終端装置６）とは、ＰＨＳにおける通常の発呼をサポートするためのプロトコルスタックであり、接続装置２がパケット端末３３からＸ．２５プロトコルの発呼要求を受信した時に動作させればよい。この呼設定１により、無線リンクの形成、及びＩＰ交換機１１とＰＩＡＦＳ終端装置間のリンクが形成され、無線モジュール２１から送信されたデータはＰＨＳ無線基地局装置４を経由し、ＰＩＡＦＳ終端装置６まで到達することができるようになる。
【００３３】
図４に示す呼設定２（ＰＩＡＦＳ終端装置６−ＩＰ交換機１２）とは、ＰＩＡＦＳ終端装置６とＩＰ交換機１２との間でリンクを形成するための呼設定手順を用いるときのプロトコルスタックを示している。この例では、呼設定プロトコルとしてＳＩＰを用いているが、Ｈ．３２３などを利用してもよい。
【００３４】
図４に示すＸ．２５プロトコル転送とは、Ｘ．２５プロトコルの呼設定手順、及びデータ転送手順を用いる時のプロトコルスタックを示しており、ＰＩＡＦＳ終端装置６ではＬＡＰＢ以上のレイヤを意識する必要はなく、接続装置２から受信したＰＩＡＦＳデータを、ＵＤＰ／ＩＰ上に載せてＩＰ交換機１２に送出すればよい。つまり、ＰＩＡＦＳ終端装置６ではＬＡＰＢ以上のレイヤはカプセル化されたデータであり、ＰＩＡＦＳ終端装置６はその中身を知る必要はない。
【００３５】
図３、図４で示した通り、本実施形態では接続装置２においてＩＰ網５を利用してＩＰ交換機１２と接続する代わりに、接続装置２でＰＩＡＦＳを用いることで接続装置２につながるＩＰ回線、またはサブネットワークを利用することなく、ＩＰ交換機１２との通信を実現している。また、ＰＩＡＦＳ終端装置６では、ＰＩＡＦＳより上位レイヤを意識することなく、ＩＰ交換機１２、またはＩＰ交換機１１に対してデータを転送するだけでよく、必要以上のプロトコルを分散配置する必要はない。
【００３６】
図５に、図４のプロトコルスタックを用いて、呼設定手順からデータ転送手順に至る処理シーケンスを示す。なお、このシーケンスは簡略化されたものであり、実シーケンスは各プロトコル仕様を満たすものとする。
【００３７】
予め、パケット端末３３と接続装置２との間、ＰＨＳ無線基地局装置４とＩＰ交換機１１との間、およびＩＰ交換機１２とパケット端末３２との間は、ＬＡＰＤによるリンクが確立されているものとする。
【００３８】
パケット端末３３から発呼要求（Ｘ．２５）を受信すると（Ｓ１ａ）、接続装置２は、ＩＰ網５との接続判定を行う（Ｓ１ｂ）。判定方法は、ＩＰ網障害監視部２０４がＰＩＮＧによる疎通確認や、ＩＰ網５からパケットを受信しない状態が継続しているケースなどから判定すればよい。ここでＩＰ網５への送信が出来ないと判定した場合、接続装置２は無線モジュール２１の無線接続部２１１を利用し、ＰＨＳ無線基地局装置４と無線リンクを確立する（Ｓ１ｃ）。
【００３９】
無線リンク確立が完了すると、ＰＨＳ無線基地局装置４は位置登録装置７に対し、接続すべきＰＩＡＦＳ終端装置６のＩＰアドレスを取得するために位置情報取得要求を送信する（Ｓ１ｄ）。この位置情報取得要求には、接続すべきＰＩＡＦＳ終端装置６のＩＰアドレスを求めるためにダミーの着番号が設定される。なお、ダミーの着番号は、ダミー着番号管理部２０７により予め設定されており、一つ以上設定することが可能とし、ラウンドロビンや、発番号の形態により使用するダミーの着番号を使い分けることが可能である。
【００４０】
位置登録装置７は、位置情報取得要求に設定されたダミーの着番号から、位置情報取得結果と、ＰＩＡＦＳ終端装置６のＩＰアドレスを求め、位置情報取得応答にそれらの情報を設定しＩＰ交換機１１に返信する（Ｓ１ｅ）。ＩＰ交換機１１では位置登録装置７から受信した位置情報取得応答を読み取ることで、ＰＩＡＦＳ終端装置６のＩＰアドレスを記憶する。また、ＩＰ交換機１１から位置情報取得応答を受信すると（Ｓ１ｆ）、ＰＨＳ無線基地局装置４は、リンク確立を開始させ、最終的にＰＨＳ無線基地局装置４とＰＩＡＦＳ終端装置６間のリンクを確立させる（Ｓ１ｇ）。このときのプロトコルスタックの詳細は、上記図４の呼設定１に示したものである。この後、接続装置２とＰＩＡＦＳ終端装置６間でＰＩＡＦＳによるリンク確立を行う（Ｓ１ｈ）。
【００４１】
ＰＩＡＦＳによるリンク確立が完了後、接続装置２はパケット端末３２が接続されているＩＰ交換機１２のＩＰアドレスを取得するために、発呼要求（Ｘ．２５）に設定された着信先であるパケット端末３２の着番号をＰＩＡＦＳ終端装置６に通知する（Ｓ１ｉ）。当該メッセージを受信したＰＩＡＦＳ終端装置６は、受信した着番号を位置情報取得要求に設定し送信する（Ｓ１ｊ）。位置登録装置７では、位置情報取得要求に設定された着番号から、位置情報取得結果と、ＩＰ交換機１２のＩＰアドレスを求め、位置情報取得応答にそれらの情報を設定し返信する（Ｓ１ｋ）。ＰＩＡＦＳ終端装置６で位置登録装置７から受信した位置情報取得応答を読み取ることで、ＩＰ交換機１２のＩＰアドレスを記憶する。これによりさらにＰＩＡＦＳ終端装置６とＩＰ交換機１２との間でリンクを確立することができる（Ｓ１ｌ）。
【００４２】
ＰＩＡＦＳ終端装置６とＩＰ交換機１２との間のリンク確立が完了した後（Ｓ１ｍ）、Ｘ．２５の呼設定手順が行われ（Ｓ１ｎ，Ｓ１ｏ，Ｓ１ｐ）、最終的にパケット端末３３とパケット端末３２間でリンクを確立することが出来る（Ｓ１ｑ）。リンク確立後はＸ．２５のデータ転送手順により相互データ通信が可能となる（Ｓ１ｒ，Ｓ１ｓ）。
【００４３】
以上述べたように、上記第１実施形態によれば、接続装置２に無線モジュール２１が搭載され、ＩＰ交換機１１にＰＨＳ無線基地局装置４が接続されている構成において、接続装置２とＩＰ網とが接続される回線で障害が発生した場合に、無線モジュール２とＰＨＳ無線基地局装置４との間で無線通信を行うようにする。このようにすることで、障害の発生した回線を迂回してＩＰ網とのデータ通信を継続させることができるため、可用性及び信頼性を向上させることが出来る。
【００４４】
また、ＰＩＡＦＳ終端装置６ではＰＩＡＦＳから上位のレイヤを意識する必要がないので、プロトコルの分散配置をする必要がない。
【００４５】
（第２実施形態）  
図６は、第２実施形態に係る通信システムの構成を示す機能ブロック図である。上記図１と異なる点は、図６ではＰＩＡＦＳ終端装置６を無くし、ＰＩＡＦＳ終端部１０９をＩＰ交換機１１に設けたことと、接続装置２において着信先通知部２０６とダミー着番号管理部２０７を無くしたことにある。なお、図１と同一構成には同一符号を付し、説明を省略する。
【００４６】
図７は、無線モジュールの無線接続部を利用してパケット端末３３とパケット端末３２との間で通信を行うときのプロトコルスタックの一例を示したものである。この場合、呼設定１において接続装置２とＩＰ交換機１２との間のリンクを確立することができるため、図４のプロトコルスタックと比べて呼設定１の手順を簡略化することができる。
【００４７】
図８に、図７のプロトコルスタックを用いて、呼設定手順からデータ転送手順に至る処理シーケンスを示す。なお、このシーケンスは簡略化されたものであり、実シーケンスは各プロトコル仕様を満たすものとする。ここで、無線リンクが確立するまでの処理（Ｓ２ａ〜Ｓ２ｃ）は、図５の処理（Ｓ１ａ〜Ｓ１ｃ）の説明と同様であるため省略する。
【００４８】
無線リンク確立が完了したＰＨＳ無線基地局装置４は、位置登録装置７に対し、接続すべきＩＰ交換機１２のＩＰアドレスを取得するために位置情報取得要求を送信する（Ｓ２ｄ）。位置情報取得要求には、接続すべきＩＰ交換機１２のＩＰアドレスを求めるためのパラメータとして発呼要求（Ｘ．２５）に設定された着番号が設定される。着番号は着呼ユーザの正当性確認にも用いられる。
【００４９】
位置登録装置７は、位置情報取得要求に設定された着番号から、位置情報取得結果と、ＩＰ交換機１２のＩＰアドレスを求め、位置情報取得応答にそれらの情報を設定し返信する（Ｓ２ｅ）。ＩＰ交換機１１では位置登録装置７から受信した位置情報取得応答を読み取ることで、ＩＰ交換機１２のＩＰアドレスを記憶する。また、ＩＰ交換機１１から位置情報取得応答を受信すると（Ｓ２ｆ）、ＰＨＳ無線基地局装置４はＱ．９３１によるリンク確立を開始させ、最終的にＰＨＳ無線基地局装置４とＩＰ交換機１２の間のリンクを確立させる（Ｓ２ｇ）。このときのプロトコルスタックの詳細は、上記図７の呼設定１に示したものである。この後、接続装置２とＰＨＳ無線基地局装置４との間でＰＩＡＦＳによるリンク確立を行う（Ｓ２ｈ）。
【００５０】
接続装置２とＰＨＳ無線基地局装置４との間のリンク確立が完了した後、Ｘ．２５の呼設定手順が行われ（Ｓ２ｉ，Ｓ２ｊ，Ｓ２ｋ）、最終的にパケット端末３３とパケット端末３２との間でリンクを確立することが出来る（Ｓ２ｌ）。リンク確立後はＸ．２５のデータ転送手順により相互データ通信が可能となる（Ｓ２ｍ，Ｓ２ｎ）。
【００５１】
なお、上記第２の実施形態では、ＰＩＡＦＳ終端部１０９をＩＰ交換機１１で実施した場合の例を示したが、ＰＩＡＦＳ終端部６０１をＩＰ交換機１２に設けて、ＰＩＡＦＳの終端をＩＰ交換機１２で行うようにすることもできる。この場合のプロトコルスタックおよび基本的な処理シーケンスは図７、図８と同様にすればよい。
【００５２】
以上述べたように上記第２実施形態においても、上記第１実施形態と同様に、障害の発生した回線を迂回してＩＰ網とのデータ通信を継続させることができるため、可用性及び信頼性を向上させることが出来ることが可能となる。また、第２実施形態では、ＰＩＡＦＳ終端機能をＩＰ交換機１１に設けることで、図４のプロトコルスタックと比べて呼設定１の手順を簡略化することができ、装置数を削減し、システム規模を縮小できる。
【００５３】
なお、いくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５４】
１１，１２…ＩＰ交換機、２…接続装置、２１…無線モジュール、３１，３２，３３…パケット端末、４…ＰＨＳ無線基地局装置、５…ＩＰ網、６…ＰＩＡＦＳ終端装置、７…位置登録装置、Ｔ１，Ｔ２，Ｔ３…ターミナルアダプタ、Ｌ１…ＩＰ回線、Ｌ２…ＩＳＤＮ回線、１０１…レイヤ１終端部、１０２…レイヤ２終端部、１０３…呼設定部、１０４…メディア転送部、１０５…位置登録装置接続部、１０６…位置情報読み取り部、１０７…Ｘ．２５終端部、１０８…Ｘ．３１終端部、１０９…ＰＩＡＦＳ終端部、２０１…レイヤ１終端部、２０２…レイヤ２終端部、２０３…障害監視部、２０４…信号分配部、２０５…呼設定部、２０６…着信先通知部、２０７…ダミー着番号管理部、２１１…無線接続部、２１２…ＰＩＡＦＳ終端部、２１３…信号送受信部、３０１…レイヤ１終端部、３０２…レイヤ２終端部、３０３…Ｘ．３１終端部、３０４…Ｘ．２５終端部、４０１…レイヤ１終端部、４０２…無線接続部、４０３…位置情報取得部、６０１…ＰＩＡＦＳ終端部、６０２…レイヤ１終端部、６０３…呼設定部、６０４…メディア転送部、６０５…位置登録装置接続部、６０６…リンク確立通知部、７０１…位置登録部、７０２…位置登録データベース。
【図１】
0005275334.tif 000002
【図２】
0005275334.tif 000003
【図３】
0005275334.tif 000004
【図４】
0005275334.tif 000005
【図５】
0005275334.tif 000006
【図６】
0005275334.tif 000007
【図７】
0005275334.tif 000008
【図８】
0005275334.tif 000009